(57)【要約】【課題】  ポータブル型オーディオ機器とヘッドホン装置を組み合わせた場合の収納性を向上させる。【解決手段】  一端１１ａ側に有する開口部から挿入されたオーディオ再生が可能な電子機器７０を収納する機器収納部１１，１２と、収納部内の所定個所に収納されてヘッドホンコードを巻取り可能なヘッドホン巻取り部５０と、ヘッドホン巻取り部５０に巻取り可能なヘッドホンコード６３の先端に取付けられてオーディオ再生を行うヘッドホンドライバ部６１，６２とを備えた構成とした。【選択図】      図８
2006345310.tif 000002
【特許請求の範囲】
【請求項１】
一端側に開口部を有し、前記開口部から挿入されたオーディオ再生が可能な電子機器を収納する機器収納部と、
前記機器収納部内の所定個所に収納され、ヘッドホンコードを巻取り可能なヘッドホン巻取り部と、
前記ヘッドホン巻取り部に巻取り可能なヘッドホンコードの先端に取付けられて、オーディオ再生を行うヘッドホンドライバ部とを備えたことを特徴とする
収納ケース付ヘッドホン装置。
【請求項２】
請求項１記載の収納ケース付ヘッドホン装置において、
前記機器収納部は、柔軟性を有する部材で構成され、
前記機器収納部の少なくとも一部を透明又は半透明の窓部としたことを特徴とする
収納ケース付ヘッドホン装置。
【請求項３】
請求項１記載の収納ケース付ヘッドホン装置において、
前記ヘッドホン巻取り部には、前記ヘッドホンコードと接続されて、前記電子機器のヘッドホン端子と接続可能なオーディオプラグが取付けてあり、
前記オーディオプラグと前記ヘッドホン巻取り部との間を、カールコードで接続したことを特徴とする
収納ケース付ヘッドホン装置。
【請求項４】
請求項３記載の収納ケース付ヘッドホン装置において、
前記機器収納部は、前記開口部とは別に、前記オーディオプラグを挿入可能な透孔を備えたことを特徴とする
収納ケース付ヘッドホン装置。
【請求項５】
請求項１記載の収納ケース付ヘッドホン装置において、
前記ヘッドホン巻取り部は、当該巻取り部内に収められたバネ部材の弾性力で前記ヘッドホンコードが巻取られる構成としたことを特徴とする
収納ケース付ヘッドホン装置。
【請求項６】
請求項５記載の収納ケース付ヘッドホン装置において、
前記バネ部材の弾性力で巻取られる操作ボタンを、前記機器収納部内に収納されるヘッドホン巻取り部に設けたことを特徴とする
収納ケース付ヘッドホン装置。
【請求項７】
ヘッドホンコードを巻取り可能なヘッドホン巻取り部と、
前記ヘッドホン巻取り部に巻取り可能なヘッドホンコードと、
前記ヘッドホンコードの先端に取付けられて、オーディオ再生を行うヘッドホンドライバ部と、
前記ヘッドホンコードと接続されて、前記ヘッドホン巻取り部から引き出されたオーディオプラグとを備えたことを特徴とする
ヘッドホン装置。
【請求項８】
請求項７記載のヘッドホン装置において、
前記オーディオプラグと前記ヘッドホン巻取り部との間を、カールコードで接続したことを特徴とする
ヘッドホン装置。
【請求項９】
請求項７記載のヘッドホン装置において、
前記ヘッドホン巻取り部は、当該巻取り部内に収められたバネ部材の弾性力で前記ヘッドホンコードが巻取られる構成としたことを特徴とする
ヘッドホン装置。
【請求項１０】
請求項９記載のヘッドホン装置において、
前記バネ部材の弾性力で巻取られる操作ボタンを、前記ヘッドホンコードの引き込み口と同一面に配置したことを特徴とする
ヘッドホン装置。
【請求項１１】
請求項７記載のヘッドホン装置において、
前記ヘッドホンコードに、マイクロフォンを接続したことを特徴とする
ヘッドホン装置。
【発明の詳細な説明】
【技術分野】
【０００１】
本発明は、収納ケース付ヘッドホン装置及びヘッドホン装置に関する。
【背景技術】
【０００２】
近年、ポータブル型のオーディオ再生機器の普及に伴って、再生機器に接続して使用するヘッドホン装置についても、各種形状のものが開発されている。例えば、インナーイヤー型、ネックバンド方式のものなどがある。
【０００３】
ポータブル型オーディオ機器と組み合わせて使用されるヘッドホン装置の場合、オーディオ機器を持ち運ぶ際に、ヘッドホン本体についても同時に持ち運ぶのが一般的であり、持ち運び時の収納性の良さが重要である。特に、ヘッドホン本体を構成するドライバ部と、機器のヘッドホン端子に接続されるプラグとの間を接続するケーブルを、どのように収納するのかが重要である。ケーブルを上手く収納できないと、鞄などの中で、ケーブルが絡み付いてしまい、使う際に不便である。
【０００４】
特許文献１には、ヘッドホン装置本体内にケーブルを巻き取られる機構を設けて、ケーブルを収納できるようにしたものについての記載がある。
【特許文献１】特開２００５−６４９０９号公報
【発明の開示】
【発明が解決しようとする課題】
【０００５】
上述した特許文献１に記載されたような構成とすれば、ケーブルについては非使用時にヘッドホン装置本体に収納され、それだけヘッドホン装置としての収納性が向上する。ところが、ヘッドホン装置そのものは依然として露出したままである。従って、例えばポータブル型オーディオ機器そのものを、専用のキャリングケースなどに収納させても、ヘッドホン装置そのものは露出したままで持ち運ぶことになり、収納性が良いとは言えない問題があった。
【０００６】
本発明の目的は、ポータブル型オーディオ機器とヘッドホン装置を組み合わせた場合の収納性を向上させることにある。
【課題を解決するための手段】
【０００７】
本発明の収納ケース付ヘッドホン装置は、一端側に有する開口部から挿入されたオーディオ再生が可能な電子機器を収納する機器収納部と、収納部内の所定個所に収納されてヘッドホンコードを巻取り可能なヘッドホン巻取り部と、ヘッドホン巻取り部に巻取り可能なヘッドホンコードの先端に取付けられてオーディオ再生を行うヘッドホンドライバ部とを備えたものである。
【０００８】
かかる構成としたことで、オーディオ再生機器とヘッドホン装置とを同時に収納することができる。さらに、ヘッドホン装置については、コードが巻き取られた状態で収納される。
【０００９】
また、本発明のヘッドホン装置は、ヘッドホンコードを巻取り可能なヘッドホン巻取り部と、ヘッドホン巻取り部に巻取り可能なヘッドホンコードと、ヘッドホンコードの先端に取付けられてオーディオ再生を行うヘッドホンドライバ部と、ヘッドホンコードと接続されてヘッドホン巻取り部から引き出されたオーディオプラグとを備えたものである。
【００１０】
かかる構成としたことで、ヘッドホン巻取り部でヘッドホンコードとその先端に取付けられたヘッドホンドライバ部とを巻き取ることで、不使用時に両者を収納させることができる。
【発明の効果】
【００１１】
本発明の収納ケース付ヘッドホン装置によると、オーディオ再生機器とヘッドホン装置とを同時にケースに収納することができ、さらに、ヘッドホン装置については、コードが巻き取られた状態で収納され、オーディオ再生機器とヘッドホン装置を同時に持ち運ぶ際の収納性がよい。
【００１２】
また本発明のヘッドホン装置によると、ヘッドホン巻取り部でヘッドホンコードとその先端に取付けられたヘッドホンドライバ部とを同時に収納部を構成する巻き取り部で巻き取ることで、不使用時に両者を収納させることができ、携帯時の収納性がよい。
【発明を実施するための最良の形態】
【００１３】
以下、本発明の一実施の形態を、図１〜図８を参照して説明する。本例においては、ヘッドホン装置と、そのヘッドホン装置が接続される電子機器を収納する収納ケースとを一体的に構成したものである。
【００１４】
図１及び図２は、本例の収納ケースを示した斜視図であり、図１は正面側を示し、図２は裏面側を示す。図１，図２では、右下が収納ケースの上側を示してあり、左上が収納ケースの下側を示してある。この上側及び下側は、実際に使用される際の向きである。
【００１５】
本例の収納ケース１０は、合成皮革などの柔軟性を有する合成樹脂で構成させた、いわゆるソフトケースとして構成させてあり、ケース上部１１とケース下部１２とを接合し、両ケース１１，１２の間に形成される空間に、機器本体とヘッドホン装置を収納する。その収納状態の詳細については後述するが、内部のケース下部１２側の面には、ヘッドホン部５０を収納するための内ポケット１７が設けてある。ケース上部１１の中央には、透明窓部１３が設けてあり、この透明な窓部１３を介してケース内部が見える構成としてある。透明窓部１３としては、半透明な窓部でもよい。また、左右の側面や上側面にも窓部を設けるようにしてもよい。
【００１６】
両ケース１１，１２の接合状態としては、上側を除く３面を接合させてあり、上側だけは接合させてなく、図２に示すように、上端開口部１１ａ，１２ａを設けてある。このケース上部１１とケース下部１２の開口部１１ａ，１２ａから、機器本体とヘッドホン装置をケース内に挿入する。ケース上部１１側では、ケース上部１１で上側面全体を覆うように形成してあり、その上側面の縁が開口部１１ａとなっており、図１に示すように、開口部が正面側には露出せず、図２に示すように、裏面側で開口部１１ａ，１２ａが見える構成としてある。
【００１７】
本例の場合には、ケース上部１１の上端開口部１１ａとケース下部１２の上端開口部１２ａとの間を塞ぐための、チャック用部材は設けてないが、収納ケース１０の外周を１周させる状態に配置された紐２１を締めることで、塞ぐことができる構成としてある。具体的には、図１，図２に示すように、ケース上部１１の左右の側面に側面紐通過部１４を設け、ケース上部１１の上側面に上端紐通過部１５を設けてあり、これらの通過部１４，１５に１本の紐２１を通過させ、下端側（図１，図２の左上）で紐２１の両端を、紐係止部材２２で係止させる構成としてある。紐係止部材２２には、係止用ボタン２３が設けてあり、その係止用ボタン２３を押すことで、紐を係止した状態が解除され、ボタン２３が押されない状態（即ち通常の状態）では、紐２１の位置が定まる構成としてある。なお、紐２１の先端部２４は、舌状部材を取付けてあり、紐の先端部２４を持ち易い形状としてある。
【００１８】
このように通過させた紐２１を、紐係止部材２２で締めることで、上端紐通過部１５があるために、ケース上部１１側の上端開口部１１ａが閉じられる状態となり、両開口部１１ａ，１２ａの間が閉まる。さらに、このように紐２１で閉じる構成としたことで、収納ケース１０そのもののサイズの調整ができることになり、内部に収納した機器のサイズに対応した調整が可能である。なお、両開口部１１ａ，１２ａの縁などに、面ファスナーなどのチャック用部材を設けて、閉じる構成としてもよい。
【００１９】
また、図１に示すように、本例の収納ケース１０のケース上部１１の左右の側面には、それぞれ透孔１１ｂを設けてあり、さらにケース上部１１の上側面には透孔１１ｃが設けてある。それぞれの透孔１１ｂ，１１ｃは、比較的小径の透孔としてあり、後述するヘッドホン部５０に取付けられたオーディオプラグ６６を通すことができるサイズとしてある。
【００２０】
また、図１及び図２に示すように、本例の収納ケース１０のケース上部１１の左右の側面には、フック係止部１６が設けてあり、さらに図２に示すように、裏面側には、ベルト通過部１８とフック係止部１９を設けてある。ベルト通過部１８については、下端側に面ファスナー部１８ａを設けて、その下端側を外すことができる構成としてある。図１，図２の例では、フック係止部１９に樹脂製（又は金属製）の環状形状のフック３１を通した状態としてある。このフック３１は、切断部３２が設けてある。このフック３１を使用して、収納ケース１０を取り付けたい個所に吊り下げることが可能になる。例えば鞄、バッグ、ナップザックなどに取付けることができる。
【００２１】
このように構成される収納ケース１０には、図３以降に示したヘッドホン部５０が付属する。ヘッドホン部５０は、樹脂成型などで形成された平型の筐体で本体が構成されて、そのヘッドホン部５０本体は、いわゆるインナーイヤー型のヘッドホンドライバ６１，６２が取付けてあり、ヘッドホンコード６３を巻き取る巻取り部として機能する。
【００２２】
図３に示すように、ヘッドホン部５０は、収納ケース１０内のヘッドホン収納用内ポケット１７に挿入させて収納させる。
【００２３】
図４及び図５は、本例のヘッドホン部５０の構成を示した図である。図４は、ヘッドホンコード６３を巻き取った状態を示し、図５は、ヘッドホンコード６３を引き出した状態を示してある。図４及び図５に示すように、使用者の左右の耳に装着されるヘッドホンドライバ６１，６２が取付けてあり、ヘッドホンコード６３でヘッドホン部５０本体に巻き取られる構成としてある。ヘッドホンコード６３は、引き込み口５１から内部に引き込まれる構成としてある。引き込み口５１は、ヘッドホンドライバ６１，６２が入ることができない形状としてあり、図４に示すように巻取り時にはその引き込み口５１の部分でヘッドホンドライバ６１，６２が止まる構成としてある。
【００２４】
ヘッドホン部５０本体の操作ボタン５２を押したときには、本体内部に配置したバネによる弾性力で、コードを巻き取るリールを巻回させて、巻き取る構成としてある。操作ボタン５２を押さない状態では、リールの回転を規制するレバー（図示せず）でロックがかかった状態となり、巻取り動作が行われず、引き出された状態が維持される。ヘッドホンコード６３を引き出す際には、ヘッドホンドライバ６１，６２又はヘッドホンコード６３を使用者が持って引っ張ることで、引き込み口５１から引き出される。この引出し時や巻取り時には、例えばリールが所定角度回転する毎にカチカチと音がするようにしてもよい。このような音が鳴る機構としては、例えばリールの回転に連動して回転する歯車と、その歯車の歯に係合する部材（いわゆる爪車）を設けて、爪車の動作で音がするような機構が適用可能である。爪車の稼動範囲は、ヘッドホン部５０内の緩衝材で規制して、カチカチと鳴る音の音量を適正に設定するようにしてもよい。なお、本例の場合には操作ボタン５２を引き込み口５１に並べて配置させてある。
【００２５】
図６は、ヘッドホン部５０本体の内部を断面で示した図である。この図６に示すように、ヘッドホン部５０の内部には、ピン５５で回転可能に保持されたリール５４が配置してあり、図示しないバネとロック解除機構を使用して、図４に示した操作ボタン５２を押した状態のときに、リール５４が回転する構成としてある。なお、図６では説明を簡単にするために、ヘッドホンコード６３は省略してある。また、リール５４による巻取りは、操作ボタン５２を押して巻き取らせる機構ではなく、例えばボールベアリングなどを使用して、コードを最後まで引き出した際に巻取りが始まる機構としてもよい。
【００２６】
図４，図５の説明に戻ると、ヘッドホン部５０本体には、透孔５３が設けてあり、ヘッドホン部５０そのものを、フックなどを利用して、任意の個所に吊り下げることができる形状としてある。そして、ヘッドホン部５０からは、カールコード６５が引き出してあり、そのカールコード６５の先端にはオーディオプラグ６６が取付けてある。カールコード６５の他端側には、ヘッドホンコード６３が接続してあり、オーディオプラグ６６をオーディオ再生機器のヘッドホン端子に接続させることで、そのヘッドホン端子から出力されるオーディオ信号によるオーディオが、ヘッドホンドライバ６１，６２で出力される。カールコード６５としては、比較的短い長さとしてあり、例えば３０ｃｍ程度の長さのコードをカールさせて、ヘッドホン部５０本体からオーディオプラグ６６までの長さが１０ｃｍ程度に収まるようにしてある。
【００２７】
図７は、このように構成されるヘッドホン部５０を、ポータブル型のオーディオ再生機器７０に接続させて、収納ケース１０に収納させる状態の一例を示したものである。図７に示すように、例えばオーディオ再生機器７０の側面に設けられたヘッドホン端子７１に、ヘッドホン部５０のオーディオプラグ６６を接続させた上で、そのオーディオ再生機器７０とヘッドホン部５０とを、上端の開口部側から収納ケース１０内に挿入させて、収納させる。その際に、ヘッドホン部５０については、内ポケット１７内に配置させるのが好ましい。また、収納された状態では、ヘッドホン部５０は、引き込み口５１と操作ボタン５２が配置された面を、上側（図での右下側）とするのが好ましい。オーディオ再生機器７０とヘッドホン部５０とを接続するコードについては、カールコード６５としてあるので、機器７０のヘッドホン端子の位置がどの位置であっても、コード６５が邪魔にならない状態で接続できる。
【００２８】
図８は、このようにしてオーディオ再生機器７０とヘッドホン部５０とを収納させた状態を示したものである。この図８に示すように、オーディオ再生機器７０の正面に配置された操作ボタン７２や表示部７３については、収納ケース１０の窓部１３を通して外部から見える状態となっている。ここで、収納ケース１０そのものは、柔軟性を有する素材で形成させてあるので、窓部１３の上から利用者が操作ボタン７２を押すことで、オーディオ再生機器７０の操作が行える。この操作に基づいた機器７０の動作状態（再生状態など）については、表示部７３での表示から確認できる。
【００２９】
そして、図８に示すように収納された状態で、ヘッドホンについては、ヘッドホン部５０からヘッドホンコード６３を必要な長さ引き出し、収納ケース１０の上端側の開口１１ａ，１２ａ（図２）の間を通過させて外部に引き出すことで、ヘッドホンドライバ６１，６２を外側に引き出して、利用者が装着できる状態にすることができる。
【００３０】
この図８に示す状態とすることで、この収納ケース１０を利用者の鞄などに取り付けるか、或いは利用者のベルトなどに直接装着させることで、オーディオ再生機器本体とヘッドホンとが一体となって取り付けられた状態となり、携帯性に優れた収納状態となる。オーディオ再生機器としては、収納ケース１０に収納可能な機器であれば、様々な機器を使用可能である。例えば、メモリ型オーディオ再生機器、ハードディスク型オーディオ再生機器、ディスク型オーディオ再生機器などのオーディオ再生専用の機器の他に、オーディオ再生機能付の携帯電話端末なども適用可能である。
【００３１】
このように構成したことで、ヘッドホン装置の接続先の機器を、巻取り側に収納又は連結可能にすることができ、ヘッドホンとしてのドライバを引き出し再生するだけで音楽等を楽しめ、携帯性や収納性に優れる。また、ヘッドホン部５０のプラグ６６を機器に接続したままでコードを巻き取ることができ、便利である。また本例の収納ケース１０は、ヘッドホンが接続される機器用ののぞき窓としての窓部１３を備えたことで、接続先機器をケース１０から取り出さなくても操作が可能で便利である。また、収納ケース１０は、ヘッドホン部５０を収納可能であり、その収納部の収納口である開口部に覆いが設けられた状態となっていることで、ヘッドホンの保護、イヤーパッドやイヤーピースの紛失などを効果的に防止できる。また、収納ケースにフック取付け用係合部や、ベルト通しを設けたことにより、ベルトから下げるだけでなく、カバンの取っ手やバック等どこでも取り付けられ、携帯や収納に非常に便利である。
【００３２】
また本例の場合には、図８に示した状態で収納させることで、ヘッドホンの巻取りを行う操作ボタン５２が、収納ケース１０の内部に位置することになり、不用意にコードが巻取られることがない。また、機器に接続するためのプラグ６６が取付けられたコード６５をカールコードとしたことで、余分なコードがはみ出すことがなく便利でスマートである。
【００３３】
さらに、本例の収納ケース１０は、紐２１による調整で、収納スペースに可変性を持たせてあるので、収納した機器がケース１０内で遊ぶことが無く、様々なサイズの機器に対応可能である。
【００３４】
なお、本例の場合には、収納ケース１０と一体で用意されたヘッドホン部５０を使用して再生する場合の例としたが、例えば、オーディオ再生機器を収納ケース１０に収納させた状態で、ヘッドホン部５０とは別の利用者が用意したヘッドホン装置を使用することもできる。この場合には、その別体のヘッドホン装置のオーディオプラグを、収納ケース１０の側面などの各面に用意された透孔１１ｂ又は１１ｃを利用して、収納ケース１０内に挿入させて、収納ケース１０内の機器のヘッドホン端子に接続させることができる。複数の面に透孔１１ｂ，１１ｃを配置したことで、様々な位置にヘッドホン端子を有する機器に対応可能である。
【００３５】
また、ここまでの説明では、ヘッドホン部５０は、収納ケース１０と組み合わせて使用することを前提としたが、ヘッドホン部５０単体を、オーディオ再生機器に取付けて使用することも可能である。即ち、ヘッドホンドライバ６１，６２が巻取り可能に取付けられたヘッドホン部５０本体は、それ自体がヘッドホン収納ケースとして機能するので、例えば図４に示した透孔５３に何らかのフックを通し、そのフックでポータブルオーディオ再生機器に取付けることで、ポータブルオーディオ再生機器に、コード巻取り可能なヘッドホン装置が取付けられた状態となり、ヘッドホン装置としての携帯性や収納性が向上する。
【００３６】
また、ここまでの説明では、オーディオ出力を行うドライバが取付けられたヘッドホン装置として構成させた例としたが、例えば図９に示すように、オーディオコード６３の途中にマイクロフォン６４を取付けたヘッドセット５０′として構成させてもよい。マイクロフォン６４が取り付けられて、利用者が話した音声を拾って、オーディオプラグ６６の接続先の機器に入力させる以外は、図４、図５のヘッドホン部５０と同じ構成である。この場合、マイクロフォン６４として小型に構成させて、コード６３の巻き取り時には、マイクロフォン６４についても内蔵されたリール側に同時に巻き取られるようにすれば、図４に示した状態と同じ収納状態（巻き取り状態）とすることができる。
【図面の簡単な説明】
【００３７】
【図１】本発明の一実施の形態による構成例を示す正面側の斜視図である。
【図２】本発明の一実施の形態による構成例を示す裏面側の斜視図である。
【図３】本発明の一実施の形態によるヘッドホン部の収納状態の例を示す斜視図である。
【図４】本発明の一実施の形態によるヘッドホン部の構成例を示す斜視図である。
【図５】図４の状態からコードを引き出した状態を示した斜視図である。
【図６】図４のVI-VI線に沿う断面図である。
【図７】本発明の一実施の形態による機器収納時の状態の例を示す斜視図である。
【図８】図７に示した機器を完全に収納させた状態を示す斜視図である。
【図９】本発明の他の実施の形態によるヘッドホン部の構成例（ヘッドセットの場合の例）を示す斜視図である。
【符号の説明】
【００３８】
１０…収納ケース、１１…ケース上部、１１ａ…上端開口部、１１ｂ，１１ｃ…透孔、１２…ケース下部、１２ａ…上端開口部、１３…透明窓部、１４…側面紐通過部、１５…上端紐通過部、１６…フック係止部、１７…ヘッドホン収納用内ポケット、１８…ベルト通過部、１９…フック係止部、２１…紐、２２…紐係止部材、２３…係止用ボタン、２４…紐先端部、３１…フック、３２…切断部、５０…ヘッドホン部、５０′…ヘッドセット部、５１…引き込み口、５２…操作ボタン、５３…透孔、５４…リール、５５…ピン、６１，６２…ヘッドホンドライバ、６３…ヘッドホンコード、６４…マイクロフォン、６５…カールコード、６６…オーディオプラグ、７０…ポータブルオーディオ機器、７１…ヘッドホン端子、７２…操作ボタン、７３…表示部
【図１】
2006345310.tif 000003
【図２】
2006345310.tif 000004
【図３】
2006345310.tif 000005
【図４】
2006345310.tif 000006
【図５】
2006345310.tif 000007
【図６】
2006345310.tif 000008
【図７】
2006345310.tif 000009
【図８】
2006345310.tif 000010
【図９】
2006345310.tif 000011